(57)【要約】【課題】コンパクトに折り畳むことができ、またブランクの原反からの紙取りが効率的であり、さらには商品を入れたまま積み重ねることができる丈夫なキャリーカートンを提供すること。【解決手段】身部と蓋部がヒンジ部を介して開閉可能に連設されたシックスコーナー貼り形式の折畳み箱からなるカートン本体Ａと、両端にそれぞれフック部が設けられた把手部材Ｂとからなり、カートン本体Ａの蓋部における左右の罫線上にそれぞれスリットａが設けられ、身部の左右の側板には蓋部を被せたときに蓋部のスリットを貫通する取付けパネル５がそれぞれ連設されており、身部に蓋部を被せて蓋部のスリットａから取付けパネル５を突出させた状態で、取付けパネル５のスリットｂに把手部材ｂのフック部を引っ掛ける。カートン本体Ａはコンパクトに折り畳んだ状態で供給することができ、ブランクの原反からの紙取りが効率的となる。【選択図】図５
2009096514.tif 000002
【特許請求の範囲】
【請求項１】
身部と蓋部がヒンジ部を介して開閉可能に連設されたシックスコーナー貼り形式の折畳み箱からなるカートン本体と、両端にそれぞれフック部が設けられた把手部材とからなり、カートン本体の蓋部における左右の罫線上にそれぞれスリットが設けられ、身部の左右の側板には蓋部を被せたときに蓋部のスリットを貫通する取付けパネルがそれぞれ連設されており、各取付けパネルには把手部材のフック部を引っ掛けるためのスリットが設けられており、身部に蓋部を被せて蓋部のスリットから取付けパネルを突出させた状態で、取付けパネルのスリットに把手部材のフック部を引っ掛けることにより、カートン本体と把手部材の両者が一体とされることを特徴とするキャリーカートン。
【発明の詳細な説明】
【技術分野】
【０００１】
本発明は、紙器用の板紙からなるカートンの技術分野に属し、詳しくは、ドーナッツやケーキなどを収納して持ち運べるようにしたトレータイプのキャリーカートンに関するものである。
【背景技術】
【０００２】
従来より、ドーナッツやケーキなどの持ち帰り用として、シックスコーナー貼り形式の折畳み箱からなる大型のトレーカートンが一般に使用されている。そして、店頭でこのような箱を使用する場合、商品を入れた箱をさらに手提げ袋（レジ袋）に入れてお客に手渡している。その際、中に入れた商品が転倒してデコレーションなどが壊れないよう箱を水平のままレジ袋に入れているのが通常である。
【０００３】
しかし、最近は、包装廃棄物の排出を抑制する動きや資源保護の観点から、このレジ袋についても削減する動きが強まってきており、そのためレジ袋不要のトレーカートンが望まれている。そこで、手提げ用の把手を一体に設けた構造とし、水平のまま持ち運ぶことができるようにしたキャリーカートンが使用されている。
【０００４】
【特許文献１】特開２００１−３４８０２３号公報
【特許文献２】特開平８−１３３２６５号公報
【発明の開示】
【発明が解決しようとする課題】
【０００５】
上記した従来のキャリーカートンは、ウェブコーナーを糊貼りとするトレー形式であるため、そのカートンを組み立てるブランクが原反からの紙取りに際して効率の悪い形状となる欠点がある。さらに、ウェブコーナーによる貼りは、底板に連設されている四方の側板のうち相対する２枚の側板が底板に重合するように貼り合わされる関係から、どうしても対向する底板と側面の罫線を越えて畳まれることはできない。したがって、特許文献１のように、一方のみの側板と天面が底板に重合するように貼るか、また特許文献２のように、対応する両側面が底板に重合されても対向する底板と罫線を越えない範囲のブランク形状に限定され、コンパクトに折り畳むことができないという問題点がある。また、ウェッブコーナーによるキャリーカートンは側板が１枚であり、上からの強度が弱く、商品を入れたまま積み重ねることができないといった問題点もある。
【０００６】
本発明は、従来のキャリーカートンが有するこのような問題点に鑑みてなされたものであり、その目的とするところは、コンパクトに折り畳むことができ、またブランクの原反からの紙取りが効率的であり、さらには商品を入れたまま積み重ねることができる丈夫なキャリーカートンを提供することにある。
【課題を解決するための手段】
【０００７】
上記の目的を達成するため、本発明のキャリーカートンは、身部と蓋部がヒンジ部を介して開閉可能に連設されたシックスコーナー貼り形式の折畳み箱からなるカートン本体と、両端にそれぞれフック部が設けられた把手部材とからなり、カートン本体の蓋部における左右の罫線上にそれぞれスリットが設けられ、身部の左右の側板には蓋部を被せたときに蓋部のスリットを貫通する取付けパネルがそれぞれ連設されており、各取付けパネルには把手部材のフック部を引っ掛けるためのスリットが設けられており、身部に蓋部を被せて蓋部のスリットから取付けパネルを突出させた状態で、取付けパネルのスリットに把手部材のフック部を引っ掛けることにより、カートン本体と把手部材の両者が一体とされることを特徴としている。
【発明の効果】
【０００８】
本発明のキャリーカートンは、カートン本体と把手部材の２部材で構成され、そのカートン本体がシックスコーナー貼り形式の折畳み箱であるので、コンパクトに折り畳むことができ、物流・保管性に優れた効果を発揮する。また、把手をブランクに一体に設けた従来のキャリーカートンに比べて、ブランクの原反からの紙取りが効率的になるので、無駄なコストアップを生じない。また、組立てに際しても、カートン本体の左右に突き出た取付けパネルのスリットに把手部材のフック部を差し込むだけでよいので、把手部材をカートン本体に簡単に取り付けることができる。また、商品を入れて蓋をした際、身部と蓋部のそれぞれの側板が重なるため、上方からの強度にも強くなり、商品を入れたまま積み重ねることができる。
【発明を実施するための最良の形態】
【０００９】
次に、本発明の実施の形態について図面を参照しながら詳細に説明する。
【００１０】
図１は本発明に係るキャリーカートンの一例を示す斜視図、図２は図１に示すキャリーカートンのカートン本体Ａを組み立てるブランクの展開図、図３は図１に示すキャリーカートンの把手部材Ｂを示す展開図である。
【００１１】
図２のブランクは、紙器用の板紙を打ち抜いて形成されたもので、図示のように、矩形状をした底板１の左右にそれぞれ折線を介して側板２が連設され、前後に折線を介して前板３と後板４が連設されている。そして、左右の側板２にはそれぞれ折線を介して台形状の取付けパネル５が連設され、前板３と後板４にはその左右に折線を介して一対の接着フラップ６，７が連設されており、後板４の上辺には折線を介して底板１とほぼ同じか僅かに大きいサイズの天板８が連設されている。さらに、天板８はその左右にそれぞれ折線を介して側板９が連設され、後板４と反対側に折線を介して覆い板１０が連設されており、覆い板１０の左右には折線を介して一対の接着フラップ１１が連設されている。
【００１２】
このブランクにおいて、底板１とそれを中心とする側板２、前板３、後板４、取付けパネル５及び接着フラップ６，７がキャリーカートンの身部を構成し、天板８とそれを中心とする側板９、覆い蓋１０及び接着フラップ１１がキャリーカートンの蓋部を構成する。そして、後板４の上辺が身部と蓋部を折曲げ可能に接続するヒンジ部となる。
【００１３】
底板１の左右にある側板２には、その前後に三角形状をした一対の折曲げ部２ａ，２ｂが区画されており、これらを区画する折線の延長線が台形状の取付けパネル５の外形線と重なっている。また、天板８の左右にある側板９には、後板４と反対側に三角形状をした一対の折曲げ部９ａが区画されている。なお、これらの折曲げ部２ａ，２ｂ，９ａを区画する折線は、押罫と切込線が交互に連続したリード罫で形成され、通常の折線を形成する押罫より折り曲げやすくなっている。
【００１４】
蓋部における天板８とその左右にある側板９との境界には、その中程のところにおいて、押罫の代わりに、中央に小さな円形孔のある細長いスリットａが形成されている。このスリットａは、身部の側板２に連設した取付けパネル５の底辺の長さより僅かに長くなっている。さらに、身部の側板２にそれぞれ連設した取付けパネル５には、側板２を起こしたときに縦向きとなるスリットｂが設けられている。
【００１５】
また、覆い板１０には係止片１０ａが形成されており、この係止片１０ａに対応して前板３にはＴ字状の切込線ｃが形成されている。なお、この係止片１０ａには、根元から簡単に切れるように破断線ｄが設けられている。
【００１６】
図３の把手部材Ｂは、図２のブランクと同じ板紙を打ち抜いて形成されたもので、図の横方向長さはカートン本体Ａの蓋部における天板８とほぼ同じであり、図示の如く、中央の折線ｅの両側に把持板１２が連設され、それらの把持板１２にそれぞれ折線ｆを介して固定板１３が連設された線対称な形状をしている。そして、各把持板１２には指を入れるための把持孔１２ａが形成されており、把持板１２の両サイドにはフック部を形成するための凸部１２ｂが設けられている。
【００１７】
図２のブランクは、従来のシックスコーナー貼り形式の折畳み箱と同様、各折曲げ部９ａの内側面とこれに隣接する接着フラップ１１の外側面を接着してカートンの蓋部を折り畳み、次いで、各折曲げ部２ａ，２ｂの内側面とこれに隣接する接着フラップ６，７の外側面を接着してカートンの身部を折り畳む。これにより、折り畳んだ身部の上に折り畳んだ蓋部が重なった状態となる。このように図２のブランクはコンパクトに折り畳んだ状態把手部材Ｂとともに供給される。
【００１８】
店頭において使用するときは、先ずカートン本体を組み立てる。すなわち、身部に対して蓋部を立ててから、図４に示すように身部と蓋部をそれぞれ起函し、身部の中に商品を入れた後、後板４の上辺の折線をヒンジ部として蓋部を身部に重ねるように回動させて蓋をする。このとき、側板２の外側に側板９が重なるように蓋部を身部に被せ、各側板２の上辺に連設した取付けパネル５がそれぞれ天板８と側板９の境界にあるスリットａに入るようにする。このように身部に蓋部を被せると、蓋部のスリットａから取付けパネル５が突出した状態となる（図５参照）。
【００１９】
カートン本体Ａを組み立てた後、図５に示すように、把手部材Ｂを中央の折線ｅで二つ折り状態としてカートン本体Ａに取り付ける。このとき、二つ折りした把手部材Ｂの固定板１３の部分を天板８上に載せた後、取付けパネル５のそれぞれを内側に倒してそのスリットｂに把手部材Ｂの凸部１２ｂ同士が重なったフック部を差し込んで引っ掛ける。このように把手部材Ｂを取り付けると、フック部がスリットから簡単には抜けないため、別のレジ袋等に入れなくても水平のまま安心して持ち運ぶことができる。キャリーカートンから中の商品を取り出すときは、把手部材Ｂから取付けパネル５を外し、カートン本体Ａの蓋部を開けるようにすればよい。
【００２０】
カートン本体Ａに把手部材Ｂを取り付けたキャリーカートンは、把手部材Ｂの把持板１２における把持孔１２ａに指先を入れ、把持板１２を掴んで持ち運ぶことができる。そして、身部と蓋部のそれぞれの側壁２，９が重なっているので、上方からの強度にも強くなっており、商品を入れたまま積み重ねることもできる。
【００２１】
以上、本発明の実施の形態について詳細に説明してきたが、本発明によるキャリーカートンは、上記実施の形態に何ら限定されるものではなく、本発明の趣旨を逸脱しない範囲において種々の変更が可能であることは当然のことである。
【図面の簡単な説明】
【００２２】
【図１】本発明に係るキャリーカートンの一例を示す斜視図である。
【図２】キャリーカートンのカートン本体を組み立てるブランクの展開図である。
【図３】キャリーカートンの把手部材を示す展開図である。
【図４】キャリーカートンのカートン本体を組み立てる様子を示す説明図である。
【図５】カートン本体に把手部材を取り付ける様子を示す説明図である。
【符号の説明】
【００２３】
Ａ  カートン本体
Ｂ  把手部材
１  底板
２  側板
２ａ，２ｂ  折曲げ部
３  前板
４  後板
５  取付けパネル
６，７  接着フラップ
８  天板
９  側板
９ａ  折曲げ部
１０  覆い板
１０ａ  係止片
１１  接着フラップ
１２  把持板
１２ａ  把持孔
１２ｂ  凸部
１３  固定板
ａ，ｂ  スリット
ｃ  切込線
ｄ  破断線
ｅ，ｆ  折線
【図１】
2009096514.tif 000003
【図２】
2009096514.tif 000004
【図３】
2009096514.tif 000005
【図４】
2009096514.tif 000006
【図５】
2009096514.tif 000007